(57)【要約】【課題】汗取り効果を高めるとともに、簡単な操作で確実に装着し、手軽に取り外して洗濯することができる背当て用の汗取パッドを提供する。【解決手段】背負い対象物の背当部に装着する汗取パッドにおいて、吸収した水分を拡散させる拡散性を有する吸水シート１と、吸水シート１に接合された防水シート２とを備え、防水シート２の外側表面に接着層３を形成した。吸水シート１の外側表面に起毛部４を有し、吸水シート１及び防水シート２は、少なくともシートの周縁部１ａ，２ａで溶着してある。【選択図】図２
2009142312.tif 000002
【特許請求の範囲】
【請求項１】
背負い対象物の背当部に装着する汗取パッドにおいて、吸収した水分を拡散させる拡散性を有する吸水シートと、該吸水シートに接合された防水シートとを備え、該防水シートの外側表面に接着層を形成したことを特徴とする汗取パッド。
【請求項２】
前記接着層は吸着層であることを特徴とする請求項１に記載の汗取パッド。
【請求項３】
前記接着層は粘着層であることを特徴とする請求項１に記載の汗取パッド。
【請求項４】
前記接着層は、複数の微小気泡を有する樹脂層であることを特徴とする請求項２又は３に記載の汗取パッド。
【請求項５】
前記接着層は、接着した前記背当部から剥離可能であることを特徴とする請求項１から４のいずれか１項に記載の汗取パッド。
【請求項６】
前記吸水シート及び防水シートは、少なくともシートの周縁部で溶着してあることを特徴とする請求項１から５のいずれか１項に記載の汗取パッド。
【請求項７】
前記吸水シートは外側表面に起毛部を有することを特徴とする請求項１から６のいずれか１項に記載の汗取パッド。
【請求項８】
前記背負い対象物に結び付ける紐を備えていることを特徴とする請求項１から７のいずれか１項に記載の汗取パッド。
【請求項９】
前記背負い対象物がランドセルであり、前記吸水シート及び防水シートは略長方形であることを特徴とする請求項１から８のいずれか１項に記載の汗取パッド。
【発明の詳細な説明】
【技術分野】
【０００１】
本発明は、ランドセル、リュックサックなどの背当部に装着して、背負った人の背中に汗が溜まらないようにするための汗取パッドに関する。
【背景技術】
【０００２】
汗取パッドに関して、ランドセルの背当部に通気性のある構造を有する部材を取り付けて、背当部と背中との密着を避け、汗ばみを少なくし、放熱効果を得るようにしたものが公知である（特許文献１参照）。また、汗取パッドではないが、背当部の内部の表面近傍に汗取りシートを配置し、表面部材に開けた通気孔から汗を吸い取って発散させるように構成したランドセルが公知である（特許文献２参照）。
【特許文献１】特開平１０−３３２６０号公報
【特許文献２】特開平９−１７３１２１号公報
【発明の開示】
【発明が解決しようとする課題】
【０００３】
特許文献１に記載の汗取パッドは単に通気性を有するだけであるので汗取り効果が十分ではない。特許文献２に記載の汗取シートはランドセルの背当部表面にある小面積の通気孔から汗を吸い取るので、汗の吸収、発散による汗取り効果が必ずしも十分ではなく、また汗取シートがランドセルと一体になっているので、使用により汗取シートに汗がついて汚れた場合でも、取り外して洗濯することができない。
【０００４】
本発明は、上述したような事情に鑑みてなされたものであり、汗取り効果を高めるとともに、簡単な操作で確実に装着することができる背当て用の汗取パッドを提供することを目的とする。
【０００５】
また本発明は、背負い対象物の背当部への装着に好適な材料を有する背当て用の汗取パッドを提供することを他の目的とする。
【０００６】
また本発明は、背負い対象物の背当部から手軽に取り外して洗濯することができる背当て用の汗取パッドを提供することを目的とする。
【０００７】
また本発明は、使用時に安定な状態を維持し易くした背当て用の汗取パッドを提供することを他の目的とする。
【０００８】
また本発明は、装着時にソフトな肌触りを与える背当て用の汗取パッドを提供することを他の目的とする。
【０００９】
また本発明は、背負い対象物の背当部への装着が外れた場合にも落下を防止する背当て用の汗取パッドを提供することを他の目的とする。
【００１０】
また本発明は、ランドセルに好適に使用することができる背当て用の汗取パッドを提供することを他の目的とする。
【課題を解決するための手段】
【００１１】
第１の発明に係る汗取パッドは、背負い対象物の背当部に装着する汗取パッドにおいて、吸収した水分を拡散させる拡散性を有する吸水シートと、該吸水シートに接合された防水シートとを備え、該防水シートの外側表面に接着層を形成したことを特徴とする。
第１の発明においては、防水シートの外側表面に形成した接着層を背負い対象物の背当部に接着させることにより、汗取パッドが装着される。使用中に背負った人の背中から発生した汗は吸水シートの前面から直接吸収され、防水シートによって背当部への吸収が阻止されながら吸水シートによって拡散され、蒸発する。
【００１２】
第２の発明に係る汗取パッドは、前記接着層は吸着層であることを特徴とする。
第２の発明においては、吸着層が背負い対象物の背当部に吸着して接着され、汗取パッドが装着される。
【００１３】
第３の発明に係る汗取パッドは、前記接着層は粘着層であることを特徴とする。
第３の発明においては、粘着層が背負い対象物の背当部に粘着して接着され、汗取パッドが装着される。
【００１４】
第４の発明に係る汗取パッドは、前記接着層は、複数の微小気泡を有する樹脂層であることを特徴とする。
第４の発明においては、樹脂層の表面に開口した複数の微小気泡が真空吸着作用をなすことによって当該樹脂層が背負い対象物の背当部に接着され、汗取パッドが装着される。
【００１５】
第５の発明に係る汗取パッドは、前記接着層は、接着した前記背当部から剥離可能であることを特徴とする。
第５の発明においては、背負い対象物の背当部に接着された接着層を背当部から剥離させることにより、汗取パッドが取り外される。
【００１６】
第６の発明に係る汗取パッドは、前記吸水シート及び防水シートは、少なくともシートの周縁部で溶着してあることを特徴とする。
第６の発明においては、吸水シート及び防水シートがシートの周縁部で溶着してあるので、接合された両シートは使用時にシート同士のずれが発生しにくい。
【００１７】
第７の発明に係る汗取パッドは、前記吸水シートは外側表面に起毛部を有することを特徴とする。
第７の発明においては、汗取パッドが装着された場合に、吸水シートの外側表面が有する起毛部が背負った人の背中に当たる。
【００１８】
第８の発明に係る汗取パッドは、前記背負い対象物に結び付ける紐を備えていることを特徴とする。
第８の発明においては、汗取パッドの接着層を背負い対象物の背当部に接着させるとともに、汗取パッドに備えた紐を背負い対象物に結び付ける。
【００１９】
第９の発明に係る汗取パッドは、前記背負い対象物がランドセルであり、前記吸水シート及び防水シートは略長方形であることを特徴とする。
第９の発明においては、通常略長方形に形成してあるランドセルの背当て部に略長方形の吸水シート及び防水シートを備えた汗取パッドが装着される。
【発明の効果】
【００２０】
第１の発明に係る汗取パッドによれば、吸水シートが背負った人の背中から発生した汗を直接吸収し拡散させ、蒸発させるので汗取り効果が高い。防水シートの外側表面の接着層を背負い対象物の背当部に接着させて装着することができる。
従って、汗取り効果を高めるとともに、簡単な操作で確実に装着することができる背当て用の汗取パッドが提供される。
【００２１】
第２の発明に係る汗取パッドによれば、吸着層が背負い対象物の背当部に吸着して接着されるので、背負い対象物の背当部への装着に好適な材料を有する背当て用の汗取パッドが提供される。特に該吸着層は背当部からの剥離性に優れているので、背当部への装着及び取外しを繰り返すような汗取パッドに適している。
【００２２】
第３の発明に係る汗取パッドによれば、粘着層が背負い対象物の背当部に粘着して接着されるので、背負い対象物の背当部への装着に好適な材料を有する背当て用の汗取パッドが提供される。特に該粘着層は背当部に対する接着性に優れているので、背当部へ強固に装着するような汗取パッドに適している。
【００２３】
第４の発明に係る汗取パッドによれば、複数の微小気泡を有する樹脂層が吸着力によって背負い対象物の背当部に接着されるので、背負い対象物の背当部への装着に好適な具体的な材料構成を有する背当て用の汗取パッドが提供される。
【００２４】
第５の発明に係る汗取パッドによれば、使用後、接着層を背負い対象物の背当部から剥離して汗取パッドを取り外し、洗濯することができる。
従って、使用により汗取パッドに汗がついて汚れた場合に、手軽に取り外して洗濯することができる背当て用の汗取パッドが提供される。
【００２５】
第６の発明に係る汗取パッドによれば、接合された吸水シート及び防水シートは使用時にシート同士のずれが発生しにくいので、使用時に安定な状態を維持し易くした背当て用の汗取パッドが提供される。
【００２６】
第７の発明に係る汗取パッドによれば、汗取パッドの装着時に、吸水シートの外側表面の起毛部が背負った人の背中に当たるので、装着時にソフトな肌触りを与える背当て用の汗取パッドが提供される。
【００２７】
第８の発明に係る汗取パッドによれば、汗取パッドに備えた紐を背負い対象物に結び付けているので、使用中に背負い対象物の背当部から接着層がはがれた場合でも落下を防止することができる背当て用の汗取パッドが提供される。
【００２８】
第９の発明に係る汗取パッドによれば、通常略長方形のランドセルの背当て部に略長方形の吸水シート及び防水シートを備えた汗取パッドを装着するので、ランドセルに好適に使用することができる背当て用の汗取パッドが提供される。
【発明を実施するための最良の形態】
【００２９】
以下、本発明に係る背当て用の汗取パッドの実施の形態について、背負い対象物がランドセルである場合を例に図面に基づいて説明する。
図１は本発明に係る汗取パッドを示す正面図、図２は図１のＩＩ−ＩＩ線における断面図、図３は図１のＩＩＩ−ＩＩＩ線における断面図である。
【００３０】
本発明に係る汗取パッドは、吸収した水分を拡散させる拡散性を有する吸水シート１と、該吸水シート１に後述の熱溶着により接合された防水シート２とを備えている。吸水シート１及び防水シート２は、略長方形であり、４角部が円弧状に丸くなっている。吸水シート１は吸水性及び拡散性に優れ、その結果、速乾性を有する繊維、具体的には、旭化成せんい株式会社製のポリエステル繊維（商品名：テクノファイン（旭化成せんい株式会社の登録商標である））を使用している。テクノファインは、特殊なＷ型繊維構造による細かい溝が水分をすばやく吸い上げ、吸った水分をすばやく拡散させて乾燥させるため、多量の水分を吸収してもべたつきにくく速乾性に優れる。
【００３１】
吸水シート１は外側表面及び内側表面に起毛部４を有する。該起毛部４は吸水シート１の材料であるポリエステル繊維にポリウレタン繊維を組み合わせたツーウエイ（２ＷＡＹ）トリコット起毛にて作製してある。吸水シート１は両側の起毛部４を含めて約２ｍｍ程度の厚さを有する。図示はしないが、吸水シート１の外側表面には動物などの絵柄が描かれている。また、起毛部４は少なくとも吸水シート１の外側表面に設けてあればよい。
【００３２】
防水シート２は防水性を有するポリエステル繊維である。防水シート２は、熱可塑性繊維であるポリエステル繊維を互いにからませて集合してなる薄肉（約０．１ｍｍ程度の厚さ）の不織布からなり、適度の撓み性を有する。ただし、防水シート２の材料としては、ポリエステル繊維以外の繊維、又は合成樹脂のフィルムでもよい。
【００３３】
吸水シート１及び防水シート２は、シートの周縁部１ａ，２ａの全周で熱溶着してある。さらに、吸水シート１及び防水シート２の１つの短辺の端部近くに、２つの貫通孔５，５が短辺に間隔を隔てて設けられ、該貫通孔５，５の周部において、両シート１，２は熱溶着してある。該貫通孔５，５は背負い対象物に結び付ける紐６を通す孔である。さらに、両シート１，２の中央部には、同心の大小２つの正方形（４角部は円弧状に丸めてある）を描くように線状の熱溶着部１ｂ，２ｂを有している。該２つの正方形は、対角線方向を長辺と平行な方向に向け、長辺と平行な方向に少し引き伸ばした形状を有する。以上の各熱溶着部分の幅は１ｍｍ程度で同一である。
【００３４】
防水シート２の外側表面には接着層３を形成している。接着層３は、具体的には厚さ０．３〜０．５ｍｍ程度のアクリル樹脂の塗布層であり、例えばアクリル系の合成樹脂（粘着性を有するアクリル酸エステル共重合体及び熱可塑性繊維と良好に相溶するメチルメタアクリレートブタジエン共重合体）を主成分とするエマルジョン、発泡剤等を含む組成物を、シートの長辺に平行で１ｍｍ程度の幅を有する凸条３ａが表面に３ｍｍ程度のピッチで複数並ぶように塗布して形成してある。これにより、表面に開口し、吸着作用をなす複数の微小気泡を有する吸着層（接着層３）が形成される。またアクリル樹脂自体が粘着性を有するので該吸着層は一部、粘着層としても働く。接着層３には使用前は透明な保護フィルム７を被せて保護してある。
【００３５】
図４及び図５は本発明に係る汗取パッドをランドセルの背当部１２に装着した状態を示す斜視図であり、図６は図４のＶＩ−ＶＩ線における断面図である。接着層３の凸条３ａがランドセルの背当部１２に当接して接着される。具体的には、背当部１２に押し付けられた接着層３（アクリル樹脂の塗布層の凸条３ａ）の表面に開口する微小気泡が内部空気を排出し、該真空吸着作用及び表面の粘着性により背当部１２に接着される。図４では紐６は使用せず、図５に紐６をシート１，２の貫通孔５，５に通してランドセルの金具１１に結び付けた場合を示している。
【００３６】
前述の実施の形態では、接着層３をアクリル樹脂の塗布層により吸着層として構成したが、アクリル樹脂の塗布層以外の材料を用いた吸着層、又は粘着性の材料を用いた粘着層として構成してもよい。また、接着層３は接着した背当部１２から剥離可能に構成して汗取パッドを背負い対象物１０から取り外しできるようにしたが、接着層３は接着した背当部１２から剥離できないようにしてもよい。要するに、背負い対象物の背当部に汗取パッドを押し当てて外れない状態で接着する材料であればよい。また、使用後は汗取パッドを手で引っ張って背負い対象物の背当部から剥離する構成の場合は、剥離操作を所定の回数行うことができる程度の接着力で接着する材料であればよい。
【００３７】
前述の実施の形態では、吸水シート１の材料として特定の商品名のポリエステル繊維、テクノファイン（登録商標）を使用したが、これ以外の吸水性及び拡散性（速乾性）に優れた各種合成繊維材料を使用してもよい。
【００３８】
背負い対象物はランドセルに限らない。本発明の汗取パッドを装着できる背当部を有するリュックサック、背負い式の鞄類などでもよい。
【図面の簡単な説明】
【００３９】
【図１】本発明に係る汗取パッドを示す正面図である。
【図２】図１のＩＩ−ＩＩ線における断面図である。
【図３】図１のＩＩＩ−ＩＩＩ線における断面図である。
【図４】本発明に係る汗取パッドをランドセルの背当部に装着した状態を示す斜視図である。
【図５】本発明に係る汗取パッドをランドセルの背当部に装着した状態を示す斜視図である。
【図６】図４のＶＩ−ＶＩ線における断面図である。
【符号の説明】
【００４０】
１    吸水シート
１ａ  周縁部
２    防水シート
２ａ  周縁部
３    接着層（吸着層、粘着層）
４    起毛部
６    紐
１０  背負い対象物（ランドセル）
１２  背当部
【図１】
2009142312.tif 000003
【図２】
2009142312.tif 000004
【図３】
2009142312.tif 000005
【図４】
2009142312.tif 000006
【図５】
2009142312.tif 000007
【図６】
2009142312.tif 000008